(57)【要約】【課題】  検者と被検者が離れていても、検眼を容易に実施できる検眼システム、検眼プログラム、検眼装置、及び検査室を提供する。【解決手段】  被検者の被検眼を検査するための検眼システムであって、被検眼を検査する検眼装置と、被検者及び検眼装置を含む検査室を撮影する撮影手段と、検眼装置を操作するための操作画面及び撮影手段により撮影された撮影画像を表示する表示手段と、表示手段の表示を制御して、表示手段に操作画面及び撮影画像を表示させる表示制御手段と、を有し、表示手段に表示された撮影画像を観察することで、被検者を検査位置まで誘導可能とする遠隔操作手段と、を備える。【選択図】      図１
2020089408.tif 000002
【特許請求の範囲】
【請求項１】
被検者の被検眼を検査するための検眼システムであって、
前記被検眼を検査する検眼装置と、
前記被検者及び前記検眼装置を含む検査室を撮影する撮影手段と、
前記検眼装置を操作するための操作画面及び前記撮影手段により撮影された撮影画像を表示する表示手段と、前記表示手段の表示を制御して、前記表示手段に前記操作画面及び前記撮影画像を表示させる表示制御手段と、を有し、前記表示手段に表示された前記撮影画像を観察することで、前記被検者を検査位置まで誘導可能とする遠隔操作手段と、
を備えることを特徴とする検眼システム。
【請求項２】
請求項１の検眼システムにおいて、
前記表示制御手段は、前記操作画面と前記撮影画像とを、前記表示手段の同一画面上に表示させることを特徴とする検眼システム。
【請求項３】
請求項１または２の検眼システムにおいて、
前記操作画面と前記撮影画像とを切り換えるための切換信号を取得する信号取得手段を備え、
前記表示制御手段は、前記切換信号に基づいて、前記操作画面と前記撮影画像とを、前記表示手段の画面上に切り換えて表示させることを特徴とする検眼システム。
【請求項４】
請求項１〜３のいずれかの検眼システムにおいて、
前記撮影手段は、前記検査室を暗視下で撮影する暗視カメラを有し、前記検査室を暗視下で撮影可能とすることを特徴とする検眼システム。
【請求項５】
請求項１〜４のいずれかの検眼システムにおいて、
前記検眼装置は、
前記被検眼の検査が可能な状態であるか否かを判定する判定手段と、
前記判定手段の判定結果に基づく判定情報を出力する第１出力手段と、
を備えることを特徴とする検眼システム。
【請求項６】
請求項１〜４のいずれかの検眼システムにおいて、
前記検眼装置は、
前記被検眼の検査が可能な状態であるか否かを判定する判定手段と、
前記判定手段の判定結果に基づいて、前記検眼装置または前記遠隔操作手段の少なくともいずれかに、次の動作を指示するための指示信号を出力する第２出力手段と、
を備えることを特徴とする検眼システム。
【請求項７】
請求項５または６の検眼システムにおいて、
前記検眼装置は、
被検者の顎を載置するための顎台と、
前記被検者の顎が前記顎台に載置されたか否かを検出する検出手段と、
を備え、
前記判定手段は、前記検出手段の検出結果に基づいて、前記被検眼の検査が可能な状態であるか否かを判定することを特徴とする検眼システム。
【請求項８】
被検者の被検眼を検査するための検眼システムにおいて実行される検眼プログラムであって、
前記検眼システムにおけるプロセッサによって実行されることで、
前記被検者及び前記検眼装置を含む検査室を撮影する撮影ステップと、
前記検眼装置を操作するための操作画面及び前記撮影手段により撮影された撮影画像を、前記遠隔操作手段が有する表示手段に表示させる表示制御ステップと、
前記表示手段に表示された前記撮影画像を観察することで、前記被検者を検査位置まで誘導可能とする遠隔操作ステップと、
を前記検眼システムにおいて実行させることを特徴とする検眼プログラム。
【請求項９】
被検者の被検眼を検査する検眼装置であって、
前記検眼装置を含む検査室の撮影画像を取得する取得手段と、
前記撮影画像及び前記検眼装置を操作するための操作画面を表示する表示手段と、
前記表示手段の表示を制御する表示制御手段と、
を備え、
前記表示制御手段は、前記撮影画像と前記操作画面を前記表示手段に表示し、
前記表示手段に表示された前記撮影画像を用いて、前記被検者を検査位置まで誘導可能とすることを特徴とする検眼装置。
【請求項１０】
被検者の被検眼を検査するための検査室であって、
前記被検眼を検査する検眼装置と、
前記被検者及び前記検眼装置を含む前記検査室を撮影する撮影手段と、
を備え、
前記撮影手段は、前記検査室の上方に配置され、前記被検者及び前記検眼装置を含む前記検査室を撮影可能とすることを特徴とする検査室。
【請求項１１】
請求項１０の検査室において、
前記撮影手段は、前記検査室の角部に配置されることを特徴とする検査室。
【発明の詳細な説明】
【技術分野】
【０００１】
本開示は、被検者の被検眼を検査するための検眼システム、検眼プログラム、検眼装置、及び検査室に関する。
【背景技術】
【０００２】
被検眼を検査する検眼装置として、被検眼の光学特性を自覚的に測定する自覚式検眼装置（特許文献１）、被検眼の光学特性を他覚的に測定する他覚式検眼装置（特許文献２）、被検眼の眼底断層画像を撮影する眼科撮影装置（特許文献３）、等が用いられる。検者は、被検眼が、被検眼を検眼するための検査位置に配置されるように、被検者をこれらの検眼装置まで誘導し、検眼を開始している。
【先行技術文献】
【特許文献】
【０００３】
【特許文献１】特開平５−１７６８９３号公報
【特許文献２】特開平１０−３３４７９号公報
【特許文献３】特開２０１０−１１０３９２号公報
【発明の概要】
【発明が解決しようとする課題】
【０００４】
ところで、被検者は検眼のために遠方の施設へ足を運ぶことが困難な場合があり、検眼を簡単に実施できる仕組みが望まれている。また、検者は、複数の装置を用いた検眼を明室や暗室等の様々な場所で行う場合があり、多くの被検者を効率よく検査できる仕組みが望まれている。このため、発明者は、検者が遠隔操作で検眼を実施する仕組みについて検討した。遠隔操作を実施する場合、検者と被検者が離れてしまうので、検者は被検者を検査の開始が可能な状態まで誘導することが難しくなると考えられる。また、被検者の誘導が難しくなることで、検査の開始までに時間を要することが考えられる。
【０００５】
本開示は、上記従来技術に鑑み、検者と被検者が離れていても、検眼を容易に実施できる検眼システム、検眼プログラム、検眼装置、及び検査室を提供することを技術課題とする。
【課題を解決するための手段】
【０００６】
上記課題を解決するために、本開示は、以下のような構成を備えることを特徴とする。
【０００７】
（１）本開示の第１態様に係る検眼システムは、被検者の被検眼を検査するための検眼システムであって、前記被検眼を検査する検眼装置と、前記被検者及び前記検眼装置を含む検査室を撮影する撮影手段と、前記検眼装置を操作するための操作画面及び前記撮影手段により撮影された撮影画像を表示する表示手段と、前記表示手段の表示を制御して、前記表示手段に前記操作画面及び前記撮影画像を表示させる表示制御手段と、を有し、前記表示手段に表示された前記撮影画像を観察することで、前記被検者を検査位置まで誘導可能とする遠隔操作手段と、を備えることを特徴とする。
（２）本開示の第２態様に係る検眼プログラムは、被検者の被検眼を検査するための検眼システムにおいて実行される検眼プログラムであって、前記検眼システムにおけるプロセッサによって実行されることで、前記被検者及び前記検眼装置を含む検査室を撮影する撮影ステップと、前記検眼装置を操作するための操作画面及び前記撮影手段により撮影された撮影画像を、前記遠隔操作手段が有する表示手段に表示させる表示制御ステップと、前記表示手段に表示された前記撮影画像を観察することで、前記被検者を検査位置まで誘導可能とする遠隔操作ステップと、を前記検眼システムにおいて実行させることを特徴とする。
（３）本開示の第３態様に係る検眼装置は、被検者の被検眼を検査する検眼装置であって、前記検眼装置を含む検査室の撮影画像を取得する取得手段と、前記撮影画像及び前記検眼装置を操作するための操作画面を表示する表示手段と、前記表示手段の表示を制御する表示制御手段と、を備え、前記表示制御手段は、前記撮影画像と前記操作画面を前記表示手段に表示し、前記表示手段に表示された前記撮影画像を用いて、前記被検者を検査位置まで誘導可能とすることを特徴とする。
（４）本開示の第４態様に係る検査室は、被検者の被検眼を検査するための検査室であって、前記被検眼を検査する検眼装置と、前記被検者及び前記検眼装置を含む前記検査室を撮影する撮影手段と、を備え、前記撮影手段は、前記検査室の上方に配置され、前記被検者及び前記検眼装置を含む前記検査室を撮影可能とすることを特徴とする。
【図面の簡単な説明】
【０００８】
【図１】検眼システムの概略図である。
【図２】検眼システムの使用例である。
【図３】ＯＣＴ装置におけるモニタの画面の一例である。
【図４】遠隔操作部におけるモニタの画面の一例である。
【図５】動作設定画面の一例である。
【図６】遠隔操作部におけるモニタの画面の一例である。
【図７】被検者に提示される操作者情報の一例である。
【発明を実施するための形態】
【０００９】
＜概要＞
本開示における実施形態の概要について説明する。以下の＜＞にて分類された項目は、独立または関連して利用されうる。
【００１０】
本実施形態に係る検眼システム（例えば、検眼システム１）は、被検者の被検眼を検査するための検眼システムである。一例として、検眼システムを用いて被検眼が測定されてもよい。また、一例として、検眼システムを用いて被検眼が撮影されてもよい。
【００１１】
このような検眼システムは、被検眼の光学特性を測定するための検眼システムでもよい。例えば、被検眼の光学特性として、被検眼の眼屈折力（例えば、球面度数、円柱度数、乱視軸角度、等）、眼軸長、角膜形状、等が自覚的に測定されてもよい。また、例えば、被検眼の光学特性として、被検眼の眼屈折力、コントラスト感度、両眼視機能（例えば、斜位量、立体視機能、等）、等が他覚的に測定されてもよい。また、このような検眼システムは、被検者の視認による応答を得て、被検眼の視野を測定するための検眼システムでもよい。
【００１２】
また、このような検眼システムは、被検眼の前眼部や眼底を撮影するための検眼システムでもよい。例えば、被検眼の前眼部を撮影することで、被検眼の前眼部画像データ、角膜形状、等が取得されてもよい。また、被検眼の眼底を撮影することで、被検眼の眼底正面画像データ、断層画像データ、等が取得されてもよい。
【００１３】
＜検査室の撮影と検眼装置を用いた検査＞
本実施形態において、検眼システムは、検眼装置（例えば、ＯＣＴ装置１００）を備える。検眼装置は、被検眼を検査する。検眼装置の一例としては、被検眼の光学特性を自覚的に測定する自覚式検眼装置、被検眼の光学特性を他覚的に測定する他覚式検眼装置、被検眼の視野を測定する視野計、被検眼の眼底断層画像を撮影する眼科撮影装置、等が挙げられる。
【００１４】
本実施形態において、検眼装置は、通信手段を備えてもよい。検眼装置は、通信手段によって、検眼システムにおける他の手段（例えば、撮影手段、遠隔操作手段、等）と通信を行う。通信手段は、有線通信及び無線通信の少なくともいずれかの構成を用いて、他の手段との通信を行ってもよい。例えば、有線通信の場合は、光ファイバー、有線ＬＡＮ、等が用いられてもよい。例えば、無線通信の場合は、Wi-Fi（登録商標）、Bluetooth（登録商標）、等が用いられてもよい。通信手段は、受信手段と、送信手段と、を有してもよい。受信手段と送信手段は兼用されてもよいし、別々に設けられてもよい。
【００１５】
本実施形態における検眼システムは、検眼装置が、通信手段を介して、他の手段と直接的に通信を行う構成としてもよい。また、本実施形態における検眼システムは、共有サーバ（例えば、共有サーバ４００）を備え、検眼装置が、通信手段から共有サーバを経由して、他の手段と間接的に通信を行う構成としてもよい。つまり、検眼装置と他の手段が共有サーバを介して接続されていてもよい。
【００１６】
＜検出手段＞
本実施形態において、検眼装置は、検出手段（例えば、検出器１０５）を備える。検出手段は、検眼装置と被検者との接触を検出してもよい。
【００１７】
検出手段としては、検眼装置と被検者との接触を検出することが可能な撮影手段（例えば、撮像素子を備えるカメラ、等）が利用されてもよい。この場合、検眼装置と被検者との接触は、撮影手段により撮影された画像を解析することで判別されてもよい。
【００１８】
また、検出手段としては、検眼装置と被検者との接触を検出することが可能なセンサ（例えば、光センサ、圧力センサ、荷重センサ、等の少なくともいずれか）が利用されてもよい。検出手段は、検眼装置と被検者とが接触したときに発せられる検知信号に基づいて、検眼装置と被検者が接触していると検出してもよい。一例として、検出手段が荷重センサである場合、荷重センサは、外部からの荷重を検知すると、その荷重を電気抵抗値に変換して出力してもよい。検眼装置と被検者との接触は、電位抵抗値の出力の有無（言い換えると、検知信号の出力の有無）に基づいて検出されてもよい。例えば、検出手段は、電位抵抗値が出力された状態のときに、検眼装置と被検者が接触していると検出してもよい。
【００１９】
なお、検眼装置が被検者の額を当接するための額当てを有する場合、検出手段は額当てに設けられ、被検者の額が額当てに当接されたか否かを検出してもよい。検出手段は、額当てから荷重が検知された状態のときに、被検者の額が額当てに当接したと検出してもよい。また、例えば、検眼装置が被検者の顎を載置するための顎台を有する場合、検出手段は顎台に設けられ、被検者の顎が顎台に載置されたか否かを検出してもよい。検出手段は、顎台から荷重が検知された状態のときに、被検者の顎が顎台に当接したと検出してもよい。もちろん、検眼装置が額当てと顎台の双方を有する場合には、検出手段が額当てと顎台の少なくともいずれかに設けられてもよい。
【００２０】
なお、本実施形態において、検出手段は、必ずしも検眼装置と被検者との接触を検出する構成でなくてもよい。検出手段は、検眼装置と被検者との位置関係を検出する構成としてもよい。一例として、検出手段は、距離センサであってもよい。また、一例として、検出手段は、撮影手段であってもよい。この場合、撮影手段が検眼装置と被検者を撮影し、検眼装置と被検者が所定の距離であるか否かを検出するようにしてもよい。また、この場合、撮影手段が被検者の顔を撮影することで、被検者の顔を検出するようにしてもよい。
【００２１】
＜判定手段＞
本実施形態において、検眼装置は、判定手段（例えば、制御部１０７）を備える。判定手段は、被検眼の検査が可能な状態であるか否かを判定する。例えば、被検眼の検査が可能な状態とは、被検眼の検査を開始することが可能な状態である。一例としては、額当てを用いて被検者の顔を検眼装置に固定した状態でもよい。また、一例としては、顎台を用いて被検者の顔を固定した状態でもよい。また、一例としては、検眼装置と被検者とが所定の位置関係になった状態でもよい。
【００２２】
判定手段は、検出手段の検出結果に基づいて、被検眼の検査が可能な状態であるか否かを判定してもよい。例えば、判定手段は、検出手段が検眼装置と被検者の接触を検出したときに、被検眼の検査を開始することが可能な状態であると判定してもよい。より詳細には、判定手段は、検出手段から検知信号が発せられたときに、被検眼の検査を開始することが可能であると判定してもよい。また、例えば、判定手段は、検出手段が検眼装置と被検者の接触を検出していないときに、被検眼の検査を開始することが不可能な状態であると判定してもよい。より詳細には、検出手段から検知信号が発せられていないときに、被検眼の検査を開始することが不可能であると判定してもよい。
【００２３】
＜出力手段＞
本実施形態において、検眼装置は、第１出力手段（例えば、制御部３０３）を備える。第１出力手段は、判定手段の判定結果に基づく判定情報を出力する。これによって、検者は、被検者の検査が可能な状態になったかどうかを容易に把握することができる。
【００２４】
第１出力手段は、判定情報として、判定結果を検者に知らせるための報知情報を出力してもよい。この場合、報知情報は、判定結果を示す情報（つまり、被検眼の検査を開始することが可能あるいは不可能であることを示す情報）、検者を次の動作へ誘導するための情報、等であってもよい。
【００２５】
第１出力手段は、このような報知情報を、遠隔操作手段に出力してもよい。例えば、第１出力手段は、報知情報を、遠隔操作手段が備える表示手段にメッセージとして出力してもよい。また、例えば、第１出力手段は、報知情報を、遠隔操作手段において音声ガイドを発生することにより出力してもよい。また、例えば、第１出力手段は、報知情報を、遠隔操作手段においてランプを点灯または点滅させることにより出力してもよい。
【００２６】
もちろん、第１出力手段は、報知情報を、遠隔操作手段とは異なる手段に出力してもよい。例えば、第１出力手段は、報知情報をプリンタ等に出力して印刷させてもよいし、報知情報をメモリやサーバ等へ出力して記憶させてもよい。
【００２７】
本実施形態において、検眼装置は、第２出力手段（例えば、制御部１０７、制御部３０３）を備える。第２出力手段は、判定手段の判定結果に基づいて、検眼装置または遠隔操作手段の少なくともいずれかに、次の動作を指示するための指示信号を出力する。これによって、検者は、被検眼の検査を効率よく進めることができる。
【００２８】
第２出力手段は、検眼装置に指示信号を出力してもよい。この場合、指示信号は、検眼装置にアライメントを開始させるための指示信号、検眼装置に検査を開始させるための指示信号、等であってもよい。また、第２出力手段は、遠隔操作手段に指示信号を出力してもよい。この場合、指示信号は、遠隔操作手段が備える表示手段に、検眼装置の設定を行うための画面を表示させる指示信号、等であってもよい。
【００２９】
なお、本実施形態において、検眼装置は、第１出力手段と第２出力手段を兼用する構成でもよいし、別々に備える構成でもよい。また、本実施形態において、検眼装置は、第１出力手段による判定情報の出力と、第２出力手段による指示信号の出力と、のいずれか一方を行う構成としてもよいし、双方を行う構成としてもよい。
【００３０】
本実施形態において、検眼装置は、アライメント手段を備えていてもよい。アライメント手段は、被検眼と検眼装置との位置合わせを行う。アライメント手段は、被検眼の前眼部にアライメント指標を投影し、アライメント指標像を用いて、被検眼と検眼装置との位置合わせを行う構成を備えていてもよい。
【００３１】
本実施形態において、検眼装置は、眼底撮影手段を備えていてもよい。眼底撮影手段は、被検眼の眼底を撮影する。例えば、眼底撮影手段は、眼科用光干渉断層計、走査型レーザ検眼鏡、眼底カメラ、等の少なくともいずれかの構成を備えていてもよい。もちろん、眼底撮影手段は、これらの構成とは異なる構成を備えていてもよい。
【００３２】
＜撮影手段＞
本実施形態において、検眼システムは、撮影手段（例えば、撮影部２００）を備える。撮影手段は、被検者及び検眼装置を含む検査室を撮影する。例えば、検査室は、被検眼を検査するための明室であってもよい。一例としては、被検眼の光学特性を測定するための明室であってもよい。また、例えば、検査室は、被検眼を検査するための暗室であってもよい。一例として、被検眼の前眼部や眼底を撮影するための暗室であってもよい。
【００３３】
撮影手段は、検査室を動画として撮影してもよい。つまり、撮影手段は、検査室をリアルタイムに撮影してもよい。また、撮影手段は、検査室を静止画として撮影してもよい。この場合、撮影手段は、一定時間毎（例えば、５秒間隔毎）にキャプチャしてもよい。
【００３４】
撮影手段は、被検者及び検眼装置を含む撮影部屋を、明視下で撮影可能としてもよい。また、撮影手段は、被検者及び検眼装置を含む撮影部屋を、暗視下で撮影可能としてもよい。この場合、撮影手段には暗視カメラが用いられてもよい。暗視カメラの一例としては、光に対する感度を増幅させる高感度カメラ、物体が放射する赤外線を検出する赤外線カメラ、等が挙げられる。
【００３５】
ここで、例えば、眼科分野では、検査室の照明機器等、周囲の光の変化による検査精度への影響を軽減させるため、被検眼を検査する際に暗室を作ることが多い。本実施形態のように、暗視下での撮影を可能とすることで、暗室でも被検者の様子を観察できるとともに、被検眼を精度よく検査することができる。
【００３６】
撮影手段は、検査室と、検査室に置かれた検眼装置と、の位置関係（言い換えると、検査室と検眼装置とのレイアウト）を把握できるように、検査室を撮影してもよい。例えば、この場合、撮影手段は、検眼装置とは異なる位置に配置されることで、被検者と検眼装置とを俯瞰する構成としてもよい。一例として、撮影手段は、検査室に配置されてもよい。
【００３７】
撮影手段は、被検者及び検眼装置を含む検査室を撮影することができれば、検査室のいずれの位置に配置されてもよい。例えば、撮影手段は、検査室の上方に配置されてもよい。これによって、撮影手段は検査室の全体を撮影しやすくなるとともに、検者は撮影手段により撮影された撮影画像を用いて検査室の様子を把握しやすくなる。
【００３８】
撮影手段は、検査室の上方における中央部に配置されてもよい。この場合、撮影手段としては、全方位カメラ（３６０度カメラ）等が利用されてもよい。また、撮影手段は、検査室の上方における角部に配置されてもよい。この場合、撮影手段としては、指向性のあるカメラ、首振り機能をもつカメラ、等が利用されてもよい。撮影手段が検査室の上方かつ角部に配置されることで、簡易的なカメラを使用しても、検査室の全体が撮影されやすくなる。
【００３９】
＜遠隔操作手段＞
本実施形態において、検眼システムは、遠隔操作手段（例えば、遠隔操作部３００）を備える。遠隔操作手段は、検眼装置を操作するための操作画面及び撮影手段により撮影された撮影画像を表示する表示手段（例えば、モニタ３０１）を有してもよい。また、遠隔操作手段は、表示手段の表示を制御して、表示手段に操作画面及び撮影画像を表示させる表示制御手段（例えば、制御部３０３）を有してもよい。すなわち、遠隔操作手段は、表示手段と表示制御手段を有し、表示手段に表示された撮影画像を観察することで、被検者を検査位置まで誘導可能としてもよい。検眼システムがこのような構成であることにより、検者と被検者が同一の空間に居なくても、検者は被検者を観察しながら適切な指示を出し、被検眼の検査を効率よく進めることができる。
【００４０】
検眼装置を操作するための操作画面とは、検眼装置を用いて被検眼を検査するために用いられる画面であってもよい。一例として、操作画面は、検眼装置における各種の設定を行うための設定画面でもよい。検眼装置がＯＣＴ装置である場合は、設定画面として、ＯＣＴデータを取得するための測定光の走査位置や走査パターン等を設定する画面が表示されてもよい。また、一例として、操作画面は、検眼装置を用いた検査の結果を示す結果画面でもよい。検眼装置がＯＣＴ装置である場合は、結果画面として、ＯＣＴデータから生成された断層画像が表示されてもよい。また、一例として、操作画面は、被検眼を撮像した被検眼画像でもよい。検眼装置がＯＣＴ装置である場合は、被検眼画像として、ＯＣＴ装置が備える前眼部撮影光学系により撮影された前眼部画像が表示されてもよい。
【００４１】
撮影手段により撮影された撮影画像とは、被検者を検眼装置まで誘導するために撮影された画像であってもよい。例えば、検査室の全体が撮影された画像であって、検眼装置及び被検者を観察することが可能な画像でもよい。また、例えば、検査室の少なくとも一部が撮影された画像であって、検眼装置及び被検者を観察することが可能な画像でもよい。
【００４２】
被検者が誘導される検査位置は、検眼装置の位置であってもよい。また、被検者が誘導される検査位置は、検眼装置から離れた位置であってもよい。一例として、被検者が誘導される検査位置は、検眼装置とともに使用される椅子の位置、等でもよい。
【００４３】
＜表示制御手段＞
本実施形態において、遠隔操作手段が有する表示制御手段は、表示手段の表示を制御して、表示手段に操作画面を表示させる。また、本実施形態において、遠隔操作手段が有する表示制御手段は、表示手段の表示を制御して、表示手段に撮影手段が撮影した撮影画像を表示させる。例えば、表示制御手段は、検者により手動で入力される操作信号、検眼装置の動作に基づいて自動で発せられる操作信号、等の少なくともいずれかに基づいて、表示手段の表示を制御してもよい。
【００４４】
表示制御手段は、操作画面と撮影画像とを、表示手段の同一画面上に表示させるように、表示手段の表示を制御してもよい。この場合、表示制御手段は、操作画面と撮影画像とを、表示手段の画面上に同じタイミングで表示してもよい。また、この場合、表示制御手段は、操作画面と撮影画像とを、表示手段の画面上に異なるタイミングで表示してもよい。例えば、表示制御手段は、操作画面と撮影画像とのいずれか一方を先に表示手段に表示させ、他方を後で表示手段に表示させる構成としてもよい。
【００４５】
例えば、操作画面と撮影画像とが同一画面上に表示されることで、検者は、被検者と同一の空間に居なくても、被検者の一連の動作（例えば、被検者が検査室に入室してから検眼装置を用いて被検眼の検査が可能な状態となるまでの動作、等）や、被検者の様子（例えば、被検眼を検査している間の様子、等）を、検眼装置を操作しながら観察することができ、被検眼の検査を効率よく行うことができる。
【００４６】
本実施形態において、遠隔操作手段は、信号取得手段（例えば、制御部３０３）を備えてもよい。例えば、信号取得手段は、操作画面と撮影画像とを切り換えるための切換信号を取得する。切換信号は、検者の操作により手動で発せられてもよい。また、切換信号は、予め設定されたタイミングにおいて自動で発せられてもよい。一例として、切換信号は、判定手段が被検眼の検査が可能な状態であることを判定したタイミングで発せられてもよい。より詳細には、被検者の額が額当てに当接したタイミング、被検者の顎が顎台に載置されたタイミング、等で発せられてもよい。
【００４７】
遠隔操作手段がこのような信号取得手段を備えた構成である場合、表示制御手段は、切換信号に基づいて、操作画面と撮影画像とを、表示手段の画面上に切り換えて表示させるように、表示手段の表示を制御してもよい。例えば、表示制御手段は、操作画面と撮影画像とのいずれかが表示手段の画面上に表示されるように、切換信号に基づいて、表示手段の表示を制御してもよい。また、例えば、表示制御手段は、操作画面と撮影画像の双方が表示手段の同一画面上に表示された状態から、操作画面と撮影画像のいずれか一方を削除するように、切換信号に基づいて、表示手段の表示を制御してもよい。また、例えば、表示制御手段は、操作画面と撮影画像のいずれか一方が表示手段の画面上に表示された状態から、他方を追加して操作画面と撮影画像の双方が表示手段の同一画面上に表示されるように、切換信号に基づいて、表示手段の表示を制御してもよい。
【００４８】
例えば、操作画面と撮影画像とを画面上で切り換えて表示させることで、検者は、操作画面と撮影画像が手動または自動で切り換わる画面を観察しながら、容易に、被検者に指示を出したり、被検眼を検査したりできる。
【００４９】
＜検眼装置を操作する操作部への動作の割り当て＞
本実施形態において、検眼システムは、第１操作部（例えば、操作部１０１、モニタ１０６）を備える。第１操作部は、検眼装置の筐体または検眼装置の付近に設けられ、検眼装置を操作する。例えば、本実施形態では、第１操作部が、検眼装置の筐体に設けられてもよい。第１操作部としては、マウス、ジョイスティック、キーボード、タブレット端末、コントローラ、等のユーザーインターフェイスが用いられてもよい。
【００５０】
また、本実施形態において、検眼システムは、第２操作部（例えば、操作部３０２）を備える。第２操作部は、検眼装置から離れた場所に設けられ、検眼装置を操作する。例えば、本実施形態では、第２操作部が、遠隔操作手段に設けられてもよい。第２操作部としては、マウス、ジョイスティック、キーボード、タブレット端末、コントローラ、等のユーザーインターフェイスが用いられてもよい。
【００５１】
＜設定手段＞
本実施形態において、検眼システムは、第１設定手段（例えば、制御部１０７）を備える。第１設定手段は、第１操作部から入力される第１操作信号に、検眼装置における第１動作を割り当てる。第１設定手段は、第１操作部に１つの動作を割り当てる構成としてもよいし、複数の動作を割り当てる構成としてもよい。
【００５２】
また、本実施形態において、検眼システムは、第２設定手段（例えば、制御部１０７）を備える。第２設定手段は、第２操作部から入力される第２操作信号に、検眼装置における第２動作を割り当てる。第２設定手段は、第２操作部に１つの動作を割り当てる構成としてもよいし、複数の動作を割り当てる構成としてもよい。
【００５３】
すなわち、本実施形態においては、第１設定手段及び第２設定手段によって、第１操作部及び第２操作部に対する動作を適宜割り当てることが可能である。言い換えると、第１設定手段及び第２設定手段によって、第１操作部及び第２操作部に対する動作を適宜設定することができる。
【００５４】
第１動作及び第２動作は、検眼装置を用いて被検眼を検査する際に行われる動作の少なくともいずれかである。一例として、検眼装置と被検眼との位置合わせを行うアライメント動作、被検眼を撮影する撮影動作、被検眼を検査する検査条件を設定する設定動作、被検眼の検査を開始する検査開始動作、顎台の高さを調節する調節動作、額当ての位置を調節する調節動作、等の少なくともいずれかが挙げられる。もちろん、第１動作及び第２動作は、これら以外の動作でもよい。例えば、検眼装置と被検眼との位置合わせから検眼装置を用いた被検眼の検査に関わる動作あってもよい。
【００５５】
第１設定手段と第２設定手段は、第１操作部と第２操作部のそれぞれに対して、検眼装置における少なくとも一部の同一の動作を割り当てるように設定してもよい。この場合、第１動作と第２動作はすべて同一であってもよい。一例として、第１操作部にアライメント動作と調節動作を割り当てるとともに、第２操作部にもアライメント動作と調節動作を割り当ててもよい。また、この場合、第１動作と第２動作は一部が重複してもよい。一例として、第１操作部にアライメント動作と撮影動作を割り当て、第２操作部にアライメント動作と調節動作を割り当ててもよい。
【００５６】
また、第１設定手段と第２設定手段は、第１操作部と第２操作部のそれぞれに対して、検眼装置における異なる動作を割り当てるように設定してもよい。すなわち、第１動作と第２動作が異なっていてもよい。一例として、第１操作部に検査開始動作を割り当て、第２操作部にアライメント動作を割り当ててもよい。
【００５７】
なお、上記では、第１設定手段と第２設定手段が、第１操作部と第２操作部のそれぞれに対して所定の動作を割り当てるように設定する場合を例示したがこれに限定されない。第１設定手段と第２設定手段は、第１操作部と第２操作部のそれぞれに対して、所定の動作を細分化した動作を割り当てるように設定してもよい。一例として、第１設定手段が、第１操作部に対して、アライメント動作のうちの左右方向及び上下方向の移動動作を割り当てるように設定し、第２設定手段が、第２操作部に対して、アライメント動作のうちの前後方向の移動動作を割り当てるように設定してもよい。
【００５８】
例えば、本実施形態における検眼システムでは、検者が検眼装置を離れた場所から操作するため、アライメント動作においては前後方向の距離感がわかりづらい。第１操作部と第２操作部にアライメント動作の移動方向毎の動作を割り当てられることで、被検者と検眼装置が接触する可能性を軽減させることができる。
【００５９】
例えば、第１設定手段及び第２設定手段による第１動作及び第２動作の割り当ては、予め設定されていてもよい。操作者情報（後述）を取得することで、自動的に設定が変更されてもよい。もちろん、検者が任意に設定を変更できるようにしてもよい。
【００６０】
例えば、このように、第１操作部及び第２操作部を用いて検眼装置の動作を制御可能な構成とすることで、検眼装置を操作する操作者（すなわち、検者、被検者、補助者、等）の居場所や技量、被検眼を検査する際の動作の内容、等に応じた適切な動作を割り当てることができる。検者は、検眼装置が配置された空間に居なくても、被検眼を容易に検査することができる。
【００６１】
なお、本実施形態において、検眼装置が前述の眼底撮影手段を備える場合、第１設定手段と第２設定手段との少なくともいずれかは、第１操作部と第２操作部から入力される操作信号に、眼底撮影手段による撮影を開始させるための動作（言い換えると、撮影開始動作）を割り当てるようにしてもよい。一例として、本実施形態では、検者が操作する操作部に撮影開始動作が割り当てられ、被検者が操作する操作部には撮影開始動作が割り当てられないように設定されてもよい。このため、被検者により撮影開始の操作信号が発せられても、検眼装置の誤動作が抑制される。
【００６２】
また、本実施形態において、検眼装置が前述のアライメント手段を備える場合、第１設定手段と第２設定手段との少なくともいずれかは、第１操作部と第２操作部から入力される操作信号に、アライメント手段による位置合わせを行うための動作（言い換えると、アライメント動作）を割り当てるようにしてもよい。一例として、本実施形態では、検者が操作する操作部にアライメント動作を割り当てず、被検者が操作する操作部にアライメント動作が割り当てられるように設定されてもよい。被検眼と装置との距離感が把握できる被検者がアライメント動作を行うことで、安全にアライメントを行うことができる。
【００６３】
＜動作制御手段＞
本実施形態において、検眼システムは、動作制御手段（例えば、制御部１０７）を備える。動作制御手段は、第１操作信号と第２操作信号とのいずれか一方の操作信号による検眼装置の動作が実行されている際には、他方の操作信号による検眼装置の動作の実行を禁止する。
【００６４】
例えば、動作制御手段は、第１操作信号と第２操作信号とのいずれか一方の操作信号による検眼装置の動作が実行されている際に、他方の操作信号の入力を禁止することで、検眼装置の動作の実行を禁止する構成としてもよい。また、例えば、動作制御手段は、第１操作信号と第２操作信号とのいずれか一方の操作信号による検眼装置の動作が実行されている際に、他方の操作信号の送信または受信を禁止することで、検眼装置の動作の実行を禁止する構成としてもよい。また、例えば、動作制御手段は、また、例えば、動作制御手段は、第１操作信号と第２操作信号とのいずれか一方の操作信号による検眼装置の動作が実行されている際に、他方の操作信号の実行を禁止することで、検眼装置の動作の実行を禁止する構成としてもよい。
【００６５】
なお、本実施形態においては、第１設定手段及び第２設定手段によって、第１操作部と第２操作部のいずれかに対して所定の動作を割り当てないことで、検眼装置の動作の実行を禁止する構成としてもよい。
【００６６】
このような動作制御手段によって、一方の操作信号に基づく制御動作が実行されている途中で、他方の操作信号に基づく制御動作に切り換わることが抑制され、被検眼の検査を効率よく安全に行うことができる。
【００６７】
なお、検眼装置の動作を実行できる状態であるか、あるいは、検眼装置の動作が禁止された状態であるか、は検眼装置を操作する操作者に報知されてもよい。例えば、表示手段への表示、音声ガイド、等の少なくともいずれかにより報知されてもよい。
【００６８】
＜操作者情報取得手段＞
本実施形態において、検眼システムは、情報取得手段（例えば、制御部３０３）を備える。情報取得手段は、検眼装置を操作する操作者の情報である操作者情報を取得する。操作者情報は、操作者（例えば、検者、補助者、等）に関わる情報であればよい。一例としては、操作者の顔、名前、所属、略歴、等が挙げられる。なお、操作者の顔は、操作者を撮影した画像（動画または静止画）として取得されてもよい。例えば、検眼システムには、操作者を撮影するための撮影手段が設けられていてもよい。
【００６９】
情報取得手段は、操作者により入力された操作者情報を取得してもよい。また、情報取得手段は、操作者情報が記憶されたサーバから、該当する操作者情報を呼び出すことで、操作者情報を取得してもよい。この場合、操作者情報は、ユーザーＩＤの入力、一次元コード（例えば、バーコード）や二次元コード（例えば、ＱＲコード（登録商標））の読み取り、等により取得されてもよい。
【００７０】
例えば、情報取得手段が取得した操作者情報は、表示制御手段（例えば、制御部１０７）により制御され、表示手段の画面上に表示されてもよい。表示手段は、検眼装置の筐体または検眼装置の付近に設けられた表示手段でもよく、被検者が観察するモニタ等に操作者情報が表示されてもよい。これによって、検者と被検者が同一の空間に居なくても、被検者は検者の情報を知り、安心して検査を受けることができる。
【００７１】
なお、本開示は、本実施形態に記載した検眼システムに限定されない。例えば、上記の実施形態の機能を行う端末制御ソフトウェア（プログラム）を、ネットワークまたは各種の記憶媒体等を介して検眼システムあるいは検眼装置に供給し、検眼システムあるいは検眼装置の制御部（例えば、ＣＰＵ）が、プログラムを読み出して実行することも可能である。
【００７２】
＜実施例＞
本実施形態に係る検眼システムの一実施例を図面に基づいて説明する。
【００７３】
図１は、検眼システム１の概略図である。検眼システム１は、被検者の被検眼を検査するための検眼システムである。検眼システム１は、検眼装置１００、撮影部２００、遠隔操作部３００、等を備える。検眼装置１００、撮影部２００、及び遠隔操作部３００は、図示なき通信部を備え、有線あるいは無線のネットワークを介して、互いに接続される。
【００７４】
なお、本実施例における検眼システム１では、検眼装置１００、撮影部２００、及び遠隔操作部３００が共有サーバ４００を経由して接続される構成としてもよい。この場合、共有サーバは、制御部４０１と記憶部（メモリ）４０２を備えてもよい。
【００７５】
メモリ４０２は、電源の供給が遮断されても記憶内容を保持できる非一過性の記憶媒体でもよい。例えば、ハードディスクドライブ、フラッシュＲＯＭ、ＵＳＢメモリ、等を使用することができる。メモリ４０２には、ＯＣＴ装置１００における被検眼Ｅの検査に関する各種の情報、取得した前眼部画像、取得したＯＣＴデータ、等が記憶されてもよい。また、メモリ４０２には、撮影部２００における撮影画像、音声、等が記憶されてもよい。
【００７６】
図２は、検眼システム１の使用例である。例えば、検眼システム１が備える検眼装置１００と撮影部２００は、被検者Ｐが居る検査室１０に設置されてもよい。また、例えば、検眼システム１が備える遠隔操作部３００は、検者Ｄが居る操作部屋２０に設置されてもよい。
【００７７】
＜検眼装置＞
検眼装置１００は、被検者Ｐの被検眼Ｅを検査するために用いる。本実施例では、検眼装置１００として、眼科撮影装置を例示する。眼科撮影装置は、いわゆる眼科用光干渉断層計の構成を備えたＯＣＴ装置であってもよい。以下では、検眼装置１００をＯＣＴ装置１００と称して説明する。
【００７８】
ＯＣＴ装置１００は、被検眼Ｅに照射された測定光と参照光による干渉信号を検出するＯＣＴ光学系を有し、干渉信号を処理することで、被検眼ＥのＯＣＴデータを取得する。ＯＣＴ装置１００は、操作部（ジョイスティック）１０１、移動台１０２、測定部１０３、顔支持ユニット１０４、モニタ１０６、制御部１０７、等を備える。
【００７９】
操作部１０１は、被検眼Ｅに対して、測定部１０３を上下方向（Ｙ方向）、左右方向（Ｘ方向）、及び前後方向（Ｚ方向）へ相対的に移動させる。操作部１０１を操作することで、移動台１０２に設けられた図示なきＸ移動機構とＺ移動機構が駆動し、移動台１０２の上部に配置された測定部１０３が、左右方向及び前後方向に移動される。また、操作部１０１を操作することで、測定部１０３に設けられた図示なきＹ移動機構が駆動し、測定部１０３が、上下方向に移動される。
【００８０】
測定部１０３の内部には、図示なき前眼部撮影光学系、図示なきＯＣＴ光学系、等が収納される。前眼部撮影光学系は、被検眼Ｅの前眼部を撮影する。前眼部撮影光学系は、前眼部を照明する光源、前眼部を撮影する撮像素子、等を備えた構成であってもよい。もちろん、前眼部撮影光学系は、これらとは異なる構成を備えてもよい。ＯＣＴ光学系は、低コヒーレント光を発する光源、光源から出射した光を測定光及び参照光に分割する光分割器、被検眼Ｅへ測定光を導く測定光学系、被検眼Ｅの眼底上で測定光を横断方向に走査させる走査部、参照光を生成する参照光学系、測定光と参照光の合成による干渉信号を検出する検出器、等を備えた構成であってもよい。もちろん、ＯＣＴ光学系は、これらとは異なる構成を備えてもよい。
【００８１】
顔支持ユニット１０４は、被検者Ｐの顔を支持する。顔支持ユニット１０４は、額当て１０４ａと、顎台１０４ｂと、を有する。額当て１０４ａには、被検者Ｐの額が当接される。顎台１０４ｂには、被検者Ｐの顎が載置される。顎台１０４ｂには、検出器１０５が設けられる。検出器１０５は、被検者Ｐの顎が顎台１０４ｂに載置されたか否かを検出する。検出器１０５は、光センサ、圧力センサ、荷重センサ、等の少なくともいずれかにより構成されてもよい。例えば、本実施例では、検出器１０５として荷重センサが用いられ、荷重センサによって、被検者Ｐの顎が顎台１０４ｂに載置されたことによる荷重が検出される。検出器１０５の検出結果は、制御部１０７に出力される。
【００８２】
図３は、ＯＣＴ装置１００におけるモニタ１０６の画面の一例である。モニタ１０６には、検眼装置１００を操作するための操作画面５００が表示される。操作画面５００は、ＯＣＴ光学系によりＯＣＴデータを得るための設定画面（例えば、測定光の走査位置、走査パターン、深さ方向の領域、等を設定する設定画面）、ＯＣＴデータから生成される断層画像、前眼部撮影光学系により撮影される前眼部画像、等の少なくともいずれかであってもよい。例えば、図３では、操作画面５００として、前眼部画像５０１が表示されている。本実施例において、操作画面５００は、ＯＣＴ装置１００のモニタ１０６に表示されるとともに、遠隔操作部３００のモニタ３０１にも表示される。
【００８３】
なお、モニタ１０６はタッチパネルであってもよく、モニタ１０６が操作部を兼ねてもよい。この場合、被検者Ｐ（あるいは、後述する補助者）の操作に対応する操作信号が、モニタ１０６から入力され、制御部１０７へ出力される。
【００８４】
制御部１０７は、一般的なＣＰＵ（Central Processing Unit）、ＲＡＭ、ＲＯＭ、等を備える。ＣＰＵは、検眼装置１００の制御を司る。ＲＡＭは、各種の情報を一時的に記憶する。ＲＯＭには、検眼装置１００の動作を制御するためのプログラム、等が記憶される。制御部１０７には、操作部１０１、図示なき移動機構（Ｘ移動機構、Ｙ移動機構、Ｚ移動機構）の駆動部、検出器１０５、モニタ１０６、ＯＣＴ光学系が備える光源や検出器、前眼部撮影光学系が備える光源や撮像素子、等が電気的に接続される。
【００８５】
＜撮影部＞
撮影部２００は、検査室１０を撮影するために用いる。撮影部２００は、検査室１０を動画として撮影してもよいし、一定時間ごとの静止画として撮影してもよい。撮影部２００は、被検者Ｐ及び検眼装置１００を含む検査室１０を撮影することが可能であれば、検査室１０のいずれの位置に配置されてもよい。すなわち、撮影部２００は、被検者Ｐ及び検眼装置１００を少なくとも含む画角で検査室１０に配置されてもよい。本実施例では、検査室１０の角部かつ上方に撮影部２００が配置される。
【００８６】
撮影部２００は、検出器２０１、制御部２０２、等を備える。検出器２０１は、ＣＣＤ（Charge Coupled Device）、ＣＭＯＳ（Complementary Metal Oxide Semiconductor）、等の撮像素子でもよい。
【００８７】
制御部２０２は、一般的なＣＰＵ、ＲＡＭ、ＲＯＭ、等を備え、撮影部２００を制御して、撮影部２００により撮影される撮影画像をズームしたり、撮影部２００を図示なき回転機構によりパン及びチルトさせたり、撮影画像と音声を一時的に記憶したりしてもよい。制御部２０２には、検出器２０１が電気的に接続される。
【００８８】
なお、本実施例において、撮影部２００としては、暗視下においても利用可能な暗視カメラ（例えば、高感度カメラ、赤外線カメラ、等）が用いられてもよい。これにより、検査室１０を暗視下で撮影することが可能となる。
【００８９】
また、本実施例において、撮影部２００は、図示なきマイク及びスピーカを備えていてもよい。例えば、撮影部２００のマイクが拾った被検者Ｐの音声が、遠隔操作部３００の図示なきスピーカから発せられ、検者Ｄに伝達されてもよい。また、例えば、遠隔操作部３００の図示なきマイクが拾った検者Ｄの音声が、撮影部２００の図示なきスピーカから発せられ、被検者Ｐに伝達されてもよい。
【００９０】
＜遠隔操作部＞
遠隔操作部３００は、被検者Ｐを検眼装置１００まで誘導して、検眼装置１００による被検眼Ｅの検査を可能な状態（言い換えると、被検眼Ｅの検査を開始することが可能な状態）とするために用いる。例えば、本実施例では、被検者Ｐが顎を顎台１０４ｂに載置することで、検眼装置１００による被検眼Ｅの検査が可能な状態となる。遠隔操作部３００は、モニタ３０１、操作部（マウス）３０２、制御部３０３、等を備える。
【００９１】
図４は、遠隔操作部３００におけるモニタ３０１の画面の一例である。モニタ３０１には、検眼装置１００を操作するための操作画面５００が表示される。例えば、図４では、操作画面５００として、前述の前眼部画像５０１と、ＯＣＴデータから生成された断層画像５０２と、が表示されている。また、モニタ３０１には、撮影部２００により撮影された撮影画像６００が表示される。撮影画像６００には、被検者Ｐ、ＯＣＴ装置１００、等が映る。
【００９２】
なお、本実施例では、１つのモニタ３０１を用いる例を挙げるが、複数のモニタを用いてもよい。一例として、２つのモニタを第１モニタ及び第２モニタとして用い、第１モニタに操作画面５００または撮影画像６００のいずれか一方を表示し、第２モニタに他方を表示してもよい。つまり、複数のモニタを用いることで、モニタ３０１の画面を拡張してもよい。
【００９３】
また、モニタ３０１はタッチパネルであってもよく、モニタ３０１が操作部３０２を兼ねてもよい。この場合、検者Ｄの操作に対応する操作信号が、モニタ３０１から入力され、制御部３０３へ出力される。
【００９４】
操作部３０２からは、検者Ｄの操作に対応する操作信号が入力される。操作部３０２から入力された操作信号は、制御部３０３へと出力される。さらに、この操作信号は、制御部３０３から、共有サーバ４００を介して、ＯＣＴ装置１００の制御部１０７に出力される。
【００９５】
制御部３０３は、一般的なＣＰＵ、ＲＡＭ、ＲＯＭ、等を備え、遠隔操作部３００を制御して、モニタ３０１の表示を制御する。制御部３０３には、モニタ３０１及び操作部３０２等が電気的に接続される。
【００９６】
本実施例において、制御部３０３は、モニタ３０１を制御して、モニタ３０１の画面上に操作画面５００と撮影画像６００を同時に表示させる。なお、操作画面５００と撮影画像６００を同時に表示させるとは、操作画面５００と撮影画像６００を必ずしも同じタイミングで表示させることに限定されない。操作画面５００と撮影画像６００との双方がモニタ３０１の画面上に表示された状態となればよく、操作画面５００と撮影画像６００が異なるタイミングで表示されてもよい。
【００９７】
一例として、制御部３０３は、操作画面５００を表示させるための操作信号（第１操作信号）と、撮影画像６００を表示させるための操作信号（第２操作信号）と、のそれぞれに基づいて、モニタ３０１の画面上に、操作画面５００と撮影画像６００を表示してもよい。例えば、これらの操作信号に基づいて、操作画面５００と撮影画像６００のいずれか一方が先にモニタ３０１の画面上に表示され、他方が後からモニタ３０１の画面上に表示されてもよい。すなわち、操作画面５００と撮影画像６００が異なるタイミングで表示されてもよい。なお、第１操作信号と第２操作信号は兼用されてもよく、第１操作信号（第２操作信号）の出力に基づいて、操作画面５００と撮影画像６００が同じタイミングで表示されてもよい。
【００９８】
＜動作の割り当て＞
検眼システム１は、ＯＣＴ装置１００が各種の動作を実行するための操作信号の入力を、ＯＣＴ装置１００が備える操作部１０１と、遠隔操作部３００が備える操作部３０２と、のそれぞれに割り当てることができる。例えば、ＯＣＴ装置１００の動作は、ＯＣＴ装置１００と被検眼Ｅとの位置合わせ、ＯＣＴデータを取得するための設定、検査の開始、顎台１０４ｂの高さ調整、等を行うための動作でもよい（詳細は後述する）。
【００９９】
ＯＣＴ装置１００における動作の割り当ては、ＯＣＴ装置１００の動作毎に予め設定されていてもよい。検者Ｄにより任意に設定可能であってもよい。ＯＣＴ装置１００を操作する操作者（例えば、検者Ｄ）の操作者情報に応じて、自動的に設定が変更されてもよい。
【０１００】
＜操作者情報の表示＞
検眼システム１は、ＯＣＴ装置１００を操作する操作者（例えば、検者Ｄ）の操作者情報を取得し、被検者Ｐに操作者情報を提示することができる。例えば、操作者情報は、ユーザーＩＤの入力、一次元コード（例えば、バーコード）や二次元コード（例えば、ＱＲコード（登録商標））の読み取り、等により取得されてもよい。
【０１０１】
＜動作＞
上記の構成を備える検眼システムを用いて、操作部屋２０に居る検者Ｄが、検査室１０に入室した被検者ＰをＯＣＴ装置１００まで誘導し、ＯＣＴ装置１００を用いて被検眼Ｅの検査を行う動作を説明する。
【０１０２】
＜ＯＣＴ装置の電源投入＞
まず、検者Ｄは、ＯＣＴ装置１００の電源を投入する。例えば、検者Ｄは、操作部３０２を操作して、モニタ３０１に表示されたＯＣＴ装置１００の電源を投入するための図示なき電源スイッチを選択する。遠隔操作部３００の制御部３０３は、電源スイッチから入力された操作信号を、共有サーバ４００を経由して、ＯＣＴ装置１００の制御部１０７へ送信する。ＯＣＴ装置１００の制御部１０７は、受信した操作信号に応じて、ＯＣＴ装置１００を起動させる。ＯＣＴ装置１００が起動すると、ＯＣＴ装置１００が起動したことを示す完了信号が発せられる。
【０１０３】
＜遠隔操作部への操作画面の表示＞
ＯＣＴ装置１００の制御部１０７は、完了信号に応じて、遠隔操作部３００の制御部３０３に、ＯＣＴ装置１００を操作するための操作画面５００を送信する。制御部３０３は、受信した操作画面５００を、モニタ３０１に表示させる。
【０１０４】
＜ＯＣＴ装置の動作の割り当て＞
検者Ｄは、ＯＣＴ装置１００が各種の動作を実行するための操作信号の入力を、検者Ｄが操作する操作部３０２と、被検者Ｐが操作する操作部１０１と、のそれぞれに予め割り当てる。検者Ｄは、モニタ３０１に表示された操作画面５００を操作して、ＯＣＴ装置１００の動作の割り当てを設定するための動作設定画面５０３を呼び出す。
【０１０５】
図５は、動作設定画面５０３の一例である。動作設定画面５０３には、ＯＣＴ装置１００における動作の一覧５０３ａ、検者Ｄが操作する操作部３０２（図５では第１操作部と表示）に割り当てる動作を選択するためのボックス５０３ｂ、被検者Ｐが操作する操作部１０１（図５では第２操作部と表示）に割り当てる動作を選択するためのボックス５０３ｃ、等が表示される。
【０１０６】
検者Ｄは、ＯＣＴ装置１００の各種の動作に対して、操作部３０２から操作信号を入力するか、操作部１０１から操作信号を入力するか、操作部３０２及び操作部１０１から操作信号を入力するか、を変更する。すなわち、ＯＣＴ装置１００に対して、各種の動作の実行を、検者Ｄが指示するか、被検者Ｐが指示するか、検者Ｄ及び被検者Ｐが指示するか、を選択する。
【０１０７】
例えば、ＯＣＴ装置１００と被検眼Ｅとの位置合わせ（アライメント）を行うためのアライメント動作を例に挙げて、その割り当てについて説明する。
【０１０８】
本実施例では、操作部屋２０に検者Ｄが、検査室１０に被検者Ｐが居るため、検者Ｄは、モニタ３０１に表示される操作画面５００（例えば、前眼部画像５０１）と撮影画像５００を観察することで、被検者Ｐの被検眼Ｅを間接的に確認する。ＯＣＴ装置１００と被検眼Ｅのアライメントでは、被検眼Ｅに対して測定部１０３を上下方向、左右方向、及び前後方向に移動させる必要がある。しかし、検者Ｄは、モニタ３０１越しに被検眼Ｅをみているため、被検眼Ｅと測定部１０３との位置関係を把握することが難しい。特に、被検眼Ｅと測定部１０３との前後方向の位置関係（言い換えると、被検眼Ｅと測定部１０３との距離感）を把握することが難しい。
【０１０９】
そこで、検者Ｄは、アライメント動作を実行するための操作信号の入力を、被検者Ｐが操作する操作部１０１に割り当てることで、被検者Ｐがアライメント動作の実行を指示できるように設定してもよい。検者Ｄは、動作設定画面５０３において、操作部１０１（第２操作部）に割り当てる動作を選択するボックス５０３ｃのうち、アライメント動作に対応するボックスＢ１ｂを選択する。
【０１１０】
遠隔操作部３００の制御部３０３は、ボックスＢ１ｂが選択されたことにより発せられる選択信号を、共有サーバ４００を経由して、ＯＣＴ装置１００の制御部１０７へ送信する。ＯＣＴ装置１００の制御部１０７は、受信した選択信号に応じて、操作部１０１にアライメント動作を実行するための操作信号の入力を許可する。
【０１１１】
例えば、このようにして、ＯＣＴ装置１００と被検眼Ｅとのアライメントを行うためのアライメント動作が、操作部１０１にのみ割り当てられてもよい。すなわち、アライメント動作の実行を、被検者Ｐのみが指示できるように設定されてもよい。
【０１１２】
なお、本実施例において、検者Ｄは、操作部３０２（第１操作部）に割り当てる動作を選択するボックス５０３ｂのうち、アライメント動作に対応するボックスＢ１ａを選択していない。この場合には、ボックスＢ１ａが選択されたことによる選択信号が発せられないので、遠隔操作部３００の制御部３０３は、操作部３０２によるアライメント動作を実行するための操作信号の入力を禁止する。
【０１１３】
もちろん、検者Ｄは、アライメント動作に限定されず、ＯＣＴ装置１００によりＯＣＴデータを得るための設定を行う動作（設定動作）、ＯＣＴ装置１００を用いた検査を開始するための動作（検査開始動作）、被検眼を撮影するための動作（撮影動作）、顎台１０４ｂの高さを調節するための動作（顎台調節動作）、等を、操作部３０２及び操作部１０１の少なくともいずれかに割り当てるように、それぞれを設定してもよい。
【０１１４】
例えば、本実施例では、設定動作と検査開始動作が、操作部３０２にのみ割り当てられる。すなわち、設定動作と検査開始動作の実行を、検者Ｄのみが指示できるように設定される。また、例えば、本実施例では、顎台調節動作が、操作部３０２と操作部１０１に割り当てられる。すなわち、顎台調節動作の実行を、検者Ｄと被検者Ｐが指示できるように設定される。
【０１１５】
＜撮影部の電源投入＞
検者Ｄは、ＯＣＴ装置１００の動作の割り当てを終えると、撮影部２００の電源を投入する。例えば、検者Ｄは、操作部３０２を操作して、モニタ３０１に表示された撮影部２００の電源を投入するための図示なき電源スイッチを選択する。遠隔操作部３００の制御部３０３は、電源スイッチから入力された操作信号を、共有サーバ４００を経由して、撮影部２００の制御部２０２へ送信する。撮影部２００の制御部２０２は、受信した操作信号に応じて、撮影部２００を起動させる。撮影部２００が起動すると、撮影部２００が起動したことを示す完了信号が発せられる。
【０１１６】
＜遠隔操作部への撮影画像の表示＞
撮影部２００の制御部２０２は、完了信号に応じて、検査室１０の撮影を開始する。撮影部２００の制御部２０２は、遠隔操作部３００の制御部３０３に検出器２０１により逐次撮影される撮影画像６００を送信する。制御部３０３は、受信した撮影画像６００を、モニタ３０１に表示させる。
【０１１７】
例えば、検者Ｄが観察するモニタ３０１には、このようにして、ＯＣＴ装置１００の操作画面５００と、撮影部２００が撮影した検査室１０の撮影画像６００と、が同時に表示される。すなわち、モニタ３０１には、操作画面５００と撮影画像６００が、同一の画面上に表示される。
【０１１８】
＜被検者の誘導＞
検者Ｄは、モニタ３０１に表示された撮影画像５００を観察し、被検者Ｐが検査室１０に入室したことを確認すると、被検者ＰにＯＣＴ装置１００の前へ座るように指示を出す。また、検者Ｄは、被検者ＰがＯＣＴ装置１００の前へ座ったことを確認すると、被検者ＰにＯＣＴ装置１００の顎台１０４ｂに顎を載せるように指示を出す。
【０１１９】
ＯＣＴ装置１００の顎台１０４ｂには、検出器１０５が設けられている。検出器１０５は、外部からの荷重を検知した際に、被検者Ｐの顎が顎台１０４ｂに載置されたと検出する。また、検出器１０５は、この荷重を電気信号に変換して、制御部１０７へ出力する。
【０１２０】
制御部１０７は、電気信号が入力されると、被検者Ｐの顎が顎台１０４ｂに載置され、被検眼Ｅの検査が可能な状態になったと判定する。また、制御部１０７は、被検眼Ｅの検査が可能な状態になったことを示す判定結果を、共有サーバ４００を経由して、遠隔操作部３００の制御部３０３へ送信する。遠隔操作部３００の制御部３０３は、検出器１０５の検出結果に基づいて、モニタ３０１にメッセージＭ１（図６参照）を表示してもよい。例えば、本実施例では、被検眼Ｅの検査が可能な状態であることが検出されると、検者Ｄが次の動作を開始できることを報知するようなメッセージが表示される。
【０１２１】
検者Ｄは、被検者ＰをＯＣＴ装置１００まで誘導し、被検眼の検査が可能な状態となったことを確認すると、モニタ３０１に表示された図示なき電源スイッチを選択して、検査室１０の電気を消灯する。本実施例において、撮影部２００は暗視カメラであるため、検査室１０の電気が消灯されても、撮影画像６００が暗視下にて撮影され、モニタ３０１で検査室１０や被検者Ｐの様子を観察することができる。
【０１２２】
＜被検眼のアライメント＞
検者Ｄは、モニタ３０１に表示された撮影画像６００を観察し、被検者Ｐに測定部１０３が備える図示なきモニタを注視するように指示を出す。例えば、図示なきモニタには、検者Ｄが被検者Ｐに出す指示の内容がメッセージとして表示されてもよい。また、例えば、図示なきモニタには、被検眼を固視させるための固視標が表示されてもよい。例えば、このようなメッセージが一定時間表示された後、自動的に固視標へ切り換わるようにしてもよい。もちろん、メッセージと固視標が同時に表示されてもよい。
【０１２３】
また、検者Ｄは、モニタ３０１に表示された撮影画像６００を観察し、被検者Ｐにアライメントを開始するように指示を出す。例えば、検者Ｄは、被検者Ｐに、ＯＣＴ装置１００の操作部１０１に設けられた図示なきアライメント開始スイッチを操作するように指示を出してもよい。被検者Ｐがアライメント開始スイッチを操作すると、制御部１０７は、アライメント開始スイッチからの開始信号に応じて、前眼部撮影光学系を制御し、被検眼Ｅの前眼部画像５０１を撮影するとともに、被検眼Ｅの角膜にアライメント指標像Ｋ１を投影する。また、制御部１０７は、アライメント指標像Ｋ１を利用して、測定部１０３の測定光軸に対する被検眼Ｅの角膜頂点位置（略角膜頂点位置）の位置ずれを検出し、自動アライメントを行う。
【０１２４】
図６は、モニタ３０１の画面の一例である。ＯＣＴ装置１００の制御部１０７は、遠隔操作部３００の制御部３０３へ共有サーバ４００を経由して前眼部画像５０１を送信し、制御部３０３は前眼部画像５０１をモニタ３０１に表示させる。すなわち、モニタ３０１には、ＯＣＴ装置１００の操作画面５００として、被検眼Ｅの前眼部画像５０１が表示される。検者Ｄは、モニタ３０１に表示された前眼部画像５０１を観察することで、ＯＣＴ装置１００と被検眼Ｅとのアライメント状態を確認することができる。
【０１２５】
なお、本実施例において、ＯＣＴ装置１００におけるアライメント動作は、検者Ｄが操作する操作部３０２には割り当てられていない。このため、検者Ｄが操作部３０２を操作しても、アライメント動作を実行するための操作信号が入力されないようになっている。なお、このとき、検者Ｄが観察するモニタ３０１には、操作部３０２からの操作ができない状態になっていることを示すメッセーが表示されてもよい。
【０１２６】
もちろん、被検者Ｐが操作する操作部１０１に加えて、検者Ｄが操作する操作部３０２にもアライメント動作を割り当て、被検者Ｐによるアライメントが上手くいかなかったとき等に、検者Ｄがアライメントを実行できるようにしてもよい。
【０１２７】
＜顎台の調節＞
上記の自動アライメントにおいて、被検眼Ｅが測定部１０３の上下方向における移動限界よりも高い位置あるいは低い位置にずれているとき等には、測定部１０３の移動が途中で停止し、アライメントが上手くいかない場合がある。このため、検者Ｄは、前眼部画像５０１を観察し、必要に応じて顎台１０４ｂの高さを調節する。
【０１２８】
検者Ｄは、被検者Ｐに、操作部１０１に設けられた図示なき顎台調節スイッチを操作して、顎台１０４ｂの高さを調節するように指示を出してもよい。例えば、図６では、被検眼Ｅが測定部１０３に対して高い状態にあるので、顎台１０４ｂを下げるように指示を出してよい。被検者Ｐが顎台調節スイッチを操作すると、制御部１０７は、顎台調節スイッチからの調節信号に応じて、顎台１０４ｂを下方向に移動させる。また、検者Ｄは、モニタ３０１に表示された前眼部画像５０１を観察し、前眼部画像５０１に映る被検眼Ｅの位置が下がったことを確認すると、被検者Ｐに、自動アライメントを再度行うように指示を出してもよい。
【０１２９】
もちろん、検者Ｄは、遠隔操作部３００の操作部３０２を操作して、モニタ３０１に表示された図示なき顎台調節スイッチを選択することで、顎台１０４ｂの高さを調節してもよい。遠隔操作部３００の制御部３０３は、顎台調節スイッチから入力された操作信号を、共有サーバ４００を経由して、ＯＣＴ装置１００の制御部１０７へ送信する。ＯＣＴ装置１００の制御部１０７は、受信した操作信号に応じて、顎台１０４ｂを上下方向に移動させる。
【０１３０】
＜検査条件の設定＞
検者Ｄは、ＯＣＴ装置１００と被検眼Ｅのアライメントが完了すると、被検眼Ｅの検査を開始するための条件を設定する。検者Ｄは、モニタ３０１に表示された操作画面５００を操作して、ＯＣＴ装置１００の検査条件を設定するための設定画面を呼び出す。また、検者Ｄは、設定画面を操作して、測定光の走査位置、測定光の走査パターン（例えば、ラインスキャン、ラスタースキャン、サークルスキャン、ラジアルスキャン、等）、等の条件を設定する。
【０１３１】
遠隔操作部３００の制御部３０３は、それぞれの条件を選択したことにより発せられる選択信号を、共有サーバ４００を経由して、ＯＣＴ装置１００の制御部１０７へ送信する。ＯＣＴ装置１００の制御部１０７は、受信した選択信号に応じて、ＯＣＴ装置１００の検査条件を設定する。
【０１３２】
なお、本実施例では、検者Ｄによる操作部３０２の操作で発せられる操作信号（第１操作信号）と、被検者Ｐによる操作部１０１の操作で発せられる操作信号（第２操作信号）と、のいずれか一方の操作信号によりＯＣＴ装置１００の動作が実行されている際には、他方の操作信号によるＯＣＴ装置１００の動作の実行が禁止されている。このため、検者Ｄが設定動作を実行している際には、被検者Ｐによるアライメント動作や顎台調節動作の実行が禁止される。例えば、検者Ｄが操作部３０２を操作している際には、被検者Ｐが操作部１０１を操作しても、操作部１０１による操作信号の入力が無効化されるようになっていてもよい。例えば、操作部１０１による操作信号の入力が無効化された状態であることは、図示なきスピーカから音声として報知されてもよい。
【０１３３】
＜検査の開始＞
検者Ｄは、ＯＣＴ装置１００の検査条件を設定すると、被検眼Ｅの検査を開始する。例えば、検者Ｄは、操作部３０２を操作して、モニタ３０１に表示されたＯＣＴ装置１００の検査を開始するための図示なき検査開始スイッチを選択する。遠隔操作部３００の制御部３０３は、検査開始スイッチから入力された開始信号を、共有サーバ４００を経由して、ＯＣＴ装置１００の制御部１０７へ送信する。ＯＣＴ装置１００の制御部１０７は、受信した開始信号に応じて、ＯＣＴ装置１００による検査を開始する。なお、制御部１０７は、受信した開始信号に応じて、測定部１０３の図示なきモニタに、撮影が開始されることを表すメッセージを表示するようにしてもよい。
【０１３４】
例えば、ＯＣＴ装置１００の制御部１０７は、開始信号に応じて、検者Ｄが所望する被検眼Ｅの眼底部位を高感度・高解像度で観察するための最適化制御（例えば、光路長の調整、フォーカスの調整、偏光状態の調整、等）と、ＯＣＴデータの取得と、を実行する。ＯＣＴ装置１００の制御部１０７は、取得したＯＣＴデータから被検眼Ｅの断層画像を生成し、共有サーバ４００を経由して、この断層画像を遠隔操作部３００の制御部３０３へ送信してもよい。なお、このとき、制御部１０７は、断層画像の解像度を下げた状態や、断層画像を圧縮した状態で、制御部３０３へ送信してもよい。制御部３０３は、断層画像５０２を受信すると、断層画像５０２をモニタ３０１に表示させてもよい。すなわち、モニタ３０１には、ＯＣＴ装置１００の操作画面５００として、被検眼Ｅの断層画像５０２が表示されてもよい。検者Ｄは、モニタ３０１に表示された断層画像５０２を観察することで、被検者Ｐから離れていても、被検眼Ｅの検査を容易に行うことができる。
【０１３５】
なお、例えば、ＯＣＴ装置１００による撮影が終了した際には、測定部１０３の図示なきモニタが、固視標から撮影が終了したことを示すメッセージに切り換えられてもよい。
【０１３６】
＜検者情報の表示＞
なお、本実施例における検眼システム１は、ＯＣＴ装置１００を操作する操作者情報（例えば、検者Ｄに係る情報、等）を、被検者Ｐに提示するようにしてもよい。例えば、操作者情報は、操作者の名前、所属、等の少なくともいずれかの情報であってもよく、検者Ｄが個々にもつユーザーＩＤに対応付けられて、共有サーバ４００のメモリ４０２に記憶されていてもよい。
【０１３７】
図７は、被検者Ｐに提示される操作者情報７００の一例である。例えば、検者Ｄは、遠隔操作部３００を用いる際に、ユーザーＩＤを入力する。遠隔操作部３００の制御部３０３は、ユーザーＩＤを共有サーバ４００の制御部４０１に送信する。制御部４０１は、ユーザーＩＤを受信すると、ユーザーＩＤに対応する操作者情報をメモリ４０２から呼び出し、操作者情報をＯＣＴ装置１００の制御部１０７に送信する。制御部１０７は、操作者情報をモニタに表示させることで、被検者Ｐに操作者情報を提示してもよい。なお、操作者情報７００は、ＯＣＴ装置１００とは別に設けられたモニタに表示されてもよいし、ＯＣＴ装置１００の測定部１０３内に設けられたモニタに表示されてもよい。
【０１３８】
以上説明したように、例えば、本実施例における検眼システムは、被検者の被検眼検査する検眼装置と、被検者及び検眼装置を含む検査室を撮影する撮影手段と、検眼装置を操作するための操作画面及び撮影手段により撮影された撮影画像を表示する表示手段と、表示手段の表示を制御して、表示手段に操作画面及び撮影画像を表示させる表示制御手段と、を有し、表示手段に表示された撮影画像を観察することで、被検者を検査位置まで誘導可能とする遠隔操作手段と、を備える。検眼システムがこのような構成であることにより、検者と被検者が同一の空間に居なくても、検者は被検者を観察しながら適切な指示を出し、被検眼の検査を効率よく進めることができる。
【０１３９】
また、例えば、本実施例における検眼システムは、検眼装置を操作するための操作画面と、撮影手段により撮影された撮影画像と、を表示手段の同一画面上に表示させる。これによって、検者は、被検者と同一の空間に居なくても、被検者の一連の動作（例えば、被検者が検査室に入室してから検眼装置を用いて被検眼の検査が可能な状態となるまでの動作、等）や、被検者の様子（例えば、被検眼を検査している間の様子、等）を、検眼装置を操作しながら観察することができる。このため、被検眼の検査を効率よく行うことができる。
【０１４０】
また、例えば、本実施例における検眼システムにおいて、撮影手段は、検査室を暗視下で撮影する暗視カメラを有し、検査室を暗視下で撮影可能とする。眼科分野では、検査室の照明機器等、周囲の光の変化による検査精度への影響を軽減させるため、被検眼を検査する際に暗室を作ることが多い。暗視下での撮影を可能とすることで、暗室でも被検者の様子を観察できるとともに、被検眼を精度よく検査することができる。
【０１４１】
また、例えば、本実施例における検眼システムにおいて、検眼装置は、被検眼の検査が可能な状態であるか否かを判定する判定手段と、判定手段の判定結果に基づく判定情報を出力する第１出力手段と、を備える。例えば、判定情報が出力されることで、検者は、被検者の検査が可能な状態になったかどうかを、容易に把握することができる。
【０１４２】
また、例えば、本実施例における検眼システムにおいて、検眼装置は、被検眼の検査が可能な状態であるか否かを判定する判定手段と、判定手段の判定結果に基づいて、検眼装置または遠隔操作手段の少なくともいずれかに、次の動作を指示するための指示信号を出力する第２出力手段と、を備える。これにより、検者は、被検眼の検査を効率よく進めることができる。
【０１４３】
また、例えば、本実施例において、検査室には、検査室の上方に撮影手段が配置されている。これによって、撮影手段は検査室の全体を撮影しやすくなるとともに、検者は撮影手段により撮影された撮影画像を用いて検査室の様子を把握しやすくなる。なお、このとき、検査室の上方かつ角部に撮影手段が配置されることで、簡易なカメラを使用しても、検査室の全体を撮影しやすくなる。
【０１４４】
また、例えば、本実施例における検眼システムは、被検眼を検査する検眼装置と、検眼装置の筐体または検眼装置の付近に設けられ、検眼装置を操作する第１操作部と、検眼装置から離れた場所に設けられ、検眼装置を操作する第２操作部と、第１操作部から入力される第１操作信号に、検眼装置における第１動作を割り当てる第１設定手段と、第２操作部から入力される第２操作信号に、検眼装置における第２動作を割り当てる第２設定手段と、を備える。これによって、検眼装置を操作する操作者（すなわち、検者、被検者、補助者、等）の居場所や技量、被検眼を検査する際の動作の内容、等に応じた適切な動作を割り当てることができる。検者は、検眼装置が配置された空間に居なくても、被検眼を容易に検査することができる。
【０１４５】
また、例えば、本実施例における検眼装置は、被検眼の眼底を撮影する眼底撮影手段を備え、第１設定手段と第２設定手段との少なくともいずれかは、操作信号に、眼底撮影手段による撮影を開始させるための動作を割り当てる。例えば、本実施例では、検者が操作する操作部に撮影開始動作が割り当てられ、被検者が操作する操作部には撮影開始動作が割り当てられない。このため、被検者により撮影開始の操作信号が発せられても、検眼装置の誤動作が抑制される。
【０１４６】
また、例えば、本実施例における検眼装置は、被検眼と検眼装置との位置合わせを行うアライメント手段を備え、第１設定手段と第２設定手段との少なくともいずれかは、操作信号に、アライメント手段による位置合わせを行うための動作を割り当てる。例えば、本実施例では、検者が操作する操作部にアライメント動作は割り当てられず、被検者が操作する操作部にアライメント動作が割り当てられる。被検眼と装置との距離感が把握できる被検者がアライメント動作を行うことで、安全にアライメントを行うことができる。
【０１４７】
また、例えば、本実施例における検眼システムは、検眼装置を操作する操作者情報を取得する取得手段と、操作者情報を表示可能な表示手段と、表示手段に操作者情報を表示させる表示制御手段と、を備える。これによって、検者と被検者が同一の空間に居なくても、被検者は検者の情報を知り、安心して検査を受けることができる。
【０１４８】
＜変容例＞
なお、本実施例では、検者Ｄの音声により被検者Ｐを誘導する構成を例に挙げて説明したがこれに限定されない。例えば、ＯＣＴ装置１００、ＯＣＴ装置１００までの通路、椅子、等にランプを設け、ランプを点灯もしくは点滅させることにより、被検者Ｐを誘導してもよい。検者Ｄは、遠隔操作部３００のモニタ３０１に表示される撮影画像６００をみながら、被検者ＰがＯＣＴ装置１００へ向かうかを確認し、適切な指示を出してもよい。
【０１４９】
なお、本実施例では、撮影部２００及び遠隔操作部３００が図示なきマイクとスピーカを備える構成を例に挙げて説明したがこれに限定されない。本実施例では、検者Ｄ及び被検者Ｐの音声を互いに伝達することが可能であればよい。一例として、マイク及びスピーカが、ＯＣＴ装置１００、撮影部２００、遠隔操作部３００、とは別途設けられる構成としてもよい。また、一例として、マイク及びスピーカが、ＯＣＴ装置１００に設けられてもよい。
【０１５０】
なお、本実施例では、遠隔操作部３００のモニタ３０１に、検査室１０を撮影した撮影画像６００と、ＯＣＴ装置１００を操作するための操作画面５００と、を同時に表示する構成を例に挙げて説明したがこれに限定されない。例えば、撮影画像６００と操作画面５００は、モニタ３０１の画面上に切り換えて表示されてもよい。この場合、ＯＣＴ装置１００の制御部１０７は、撮影画像６００と操作画面５００を切り換えるための切換信号に基づいて、撮影画像６００と操作画面５００を切り換えるようにしてもよい。例えば、切換信号は、検者Ｄが撮影画像６００と操作画面５００を切り換えるための切換スイッチを操作することにより発せられてもよい。また、例えば、切換信号は、ＯＣＴ装置１００や撮影部２００の起動、アライメントの完了、検出器１０５による電気信号の出力、等により発せられてもよい。
【０１５１】
例えば、このように、本実施例における検眼システムは、検眼装置を操作するための操作画面と、撮影手段により撮影された撮影画像と、を切り換えるための切換信号を取得する信号取得手段を備え、表示制御手段は、切換信号に基づいて、検眼装置を操作するための操作画面と、撮影手段により撮影された撮影画像と、を表示手段の画面上に切り換えて表示させる。検者は、操作画面と撮影画像が手動または自動で切り換わる画面を観察しながら、容易に、被検者に指示を出したり、被検眼を検査したりできる。
【０１５２】
なお、本実施例では、遠隔操作部３００が、モニタ３０１と操作部３０２を有する構成を例に挙げて説明したがこれに限定されない。例えば、遠隔操作部３００は、モニタ３０１を有するが、操作部３０２を有しない構成としてもよい。この場合、ＯＣＴ装置１００は、被検眼Ｅに対するアライメントの開始から検査の終了までを全自動（フルオート）で制御するための構成を備えていてもよい。検者Ｄは、モニタ３０１に表示された撮影画像６００を観察しながら被検者ＰをＯＣＴ装置１００まで誘導し、ＯＣＴ装置１００は、被検者Ｐの検査が可能な状態となったことを判定して、全自動制御を行ってもよい。
【０１５３】
なお、本実施例では、操作部屋２０に検者Ｄが、検査室１０に被検者Ｐが居り、検者Ｄが撮影画像６００を観察しながら被検者Ｐに指示を出す場合を例に挙げて説明したがこれに限定されない。例えば、操作部屋２０に検者Ｄが、検査室１０に被検者Ｐと被検者Ｐを補助する補助者が居り、検者Ｄが撮影画像６００を観察しながら補助者に指示を出してもよい。この場合、検者Ｄは、被検者Ｐの誘導、検査室１０の電気の消灯と点灯、被検眼のアライメントの開始、顎台の調節、等を補助者に指示してもよい。また、この場合、検者Ｄは、ＯＣＴ装置１００における各種の動作の割り当てを変更してもよい。例えば、補助者が操作する操作部としては、ＯＣＴ装置１００に設けられた操作部１０１を用いてもよいし、モニタ１０６を用いてもよい。
【０１５４】
なお、本実施例では、検者Ｄが操作する操作部３０２と、被検者Ｐが操作する操作部１０１と、に対して、アライメント動作におけるすべての動作を割り当てる構成を例に挙げて説明したがこれに限定されない。操作部３０２と操作部１０１に対して、アライメント動作における少なくとも一部の動作を割り当てる構成でもよい。より詳細には、測定部１０３を上下方向に移動させる上下動作、測定部１０３を左右方向に移動させる左右動作、測定部１０３を前後方向に移動させる前後動作、をそれぞれに割り当てる構成でもよい。もちろん、操作部３０２と操作部１０１に対して割り当てられる動作が重複してもよい。
【０１５５】
一例として、検者Ｄが操作する操作部３０２に、アライメント動作における上下動作と左右動作を割り当て、被検者Ｐ（または補助者）が操作する操作部１０１に、アライメント動作における前後動作を割り当ててもよい。また、一例として、検者Ｄが操作する操作部３０２に、アライメント動作における上下動作と左右動作を割り当て、被検者Ｐ（または補助者）が操作する操作部１０１に、アライメント動作におけるすべての動作（すなわち、上下動作、左右動作、及び前後動作）を割り当ててもよい。
【０１５６】
なお、本実施例では、ＯＣＴ装置１００における各種の動作を、操作部１０１及び操作部３０２に割り当てないことで、各種の動作を実行するための操作信号の入力を禁止する設定を行う構成を例に挙げて説明したがこれに限定されない。例えば、操作部１０１及び操作部３０２に、ＯＣＴ装置１００における各種の動作の実行を禁止するための禁止設定を行う構成としてもよい。
【０１５７】
操作部１０１に対してこのような禁止設定が行われた場合、一例として、操作部１０１からの操作信号が制御部１０７へ送信されないように、操作信号の入力が禁止されてもよい。また、一例として、操作部１０１からの操作信号を制御部１０７が受信しないように、操作部１０１と制御部１０７との間の通信経路において、操作信号が無効化されてもよい。また、一例として、操作部１０１からの操作信号を制御部１０７が受信しても、操作信号に基づく動作を行わないように制御されてもよい。
【０１５８】
操作部３０２に対してこのような禁止設定が行われた場合、一例として、操作部３０２からの操作信号が制御部３０３へ送信されないように、操作信号の入力が禁止されてもよい。また、一例として、操作部３０２からの操作信号を制御部１０７が受信しないように、操作部３０２と共有サーバ４００との間の通信経路、あるいは、共有サーバ４００と操作部１０１との間の通信経路、のいずれかにおいて操作信号が無効化されてもよい。また、一例として、操作部３０２からの操作信号を制御部１０７が受信しても、操作信号に基づく動作を行わないように制御されてもよい。
【０１５９】
例えば、このように、本実施例における検眼システムは、第１操作信号と第２操作信号とのいずれか一方の操作信号による検眼装置の動作が実行されている際には、他方の操作信号による検眼装置の動作の実行を禁止する動作制御手段を備える。これによって、一方の操作信号に基づく制御動作が実行されている途中で、他方の操作信号に基づく制御動作に切り換わることが抑制され、被検眼の検査を効率よく安全に行うことができる。
【０１６０】
なお、本実施例では、検者Ｄが操作する操作部３０２と、被検者Ｐが操作する操作部１０１と、に対して、一方の操作部を用いている間は、他方の操作部による動作の実行を禁止する構成を例に挙げて説明したがこれに限定されない。一例として、被検眼Ｅを検査する際に行う動作によっては、操作部３０２による動作の実行が優先されるようにしてもよい。つまり、操作部１０１により所定の動作が実行されているときであっても、操作部３０２を操作することで、操作部１０１による動作の実行が禁止され、操作部３０２に所定の動作の実行が許可されるような構成としてもよい。もちろん、被検眼Ｅを検査する際に行う動作によっては、操作部１０１による動作の実行が優先されるようにしてもよい。
【０１６１】
なお、本実施例では、撮影部２００を検査室１０に設ける構成を例に挙げて説明したがこれに限定されない。例えば、撮影部２００をＯＣＴ装置１００に設ける構成としてもよい。一例として、撮影部２００がＯＣＴ装置１００の上部に積層配置されてもよい。また、一例として、撮影部２００がＯＣＴ装置１００の側部に並列配置されてもよい。このような場合には、撮影部２００によって、被検者を含む検査室１０が撮影されてもよい。
【符号の説明】
【０１６２】
１  検眼システム
１０  検査室
１００  検眼装置
２００  撮影部
３００  遠隔操作部
４００  共有サーバ
５００  操作画面
６００  撮影画像
７００  操作者情報
【図１】
2020089408.tif 000003
【図２】
2020089408.tif 000004
【図３】
2020089408.tif 000005
【図４】
2020089408.tif 000006
【図５】
2020089408.tif 000007
【図６】
2020089408.tif 000008
【図７】
2020089408.tif 000009